(57)【要約】一組の収集可能なカードが記載され、該カードは、背景画像（Ｂ）を有する複数の基本カード（１０）と、該基本カード（１０）と一致する複数の付属カード（１２）であって、背景画像（Ｂ）を補足し、透明な領域に配置される１つ若しくはそれ以上の画像（Ｉ１−Ｉ５）を有し、合成画像（Ｓ）を形成するために基本カード１０に重ね合わせることができる複数の付属カード（１２）とを有する。付属カード（１２）は、重ね合わせられた状態で基本カード（１０）又は他の付属カード（１２）に一時的に接続するための粘着性物質を有し、位置調整されて重ね合わせられた状態で別のカードと組み合わせて、互いからのカード（１０、１２）の分離のための形作られた部分（４０；４０’、４０”；４２；４２’、４２”；４４）を規定する。
2010540155.tif 000002
【特許請求の範囲】
【請求項１】
背景画像（Ｂ）を有する複数の基本カード（１０）と、該基本カード（１０）と一致する複数の付属カード（１２）であって、前記背景画像（Ｂ）を補足し、透明な部分に配置される１つ若しくはそれ以上の画像（Ｉ１−Ｉ５）を有し、合成画像（Ｓ）を形成するために前記基本カード（１０）に重ね合わせることができる複数の付属カード（１２）とを有する一組の収集可能なカードであって、
前記付属カード（１２）は、重ね合わせられた状態で前記基本カード（１０）に又は他の付属カード（１２）に一時的に接続するための接着手段を有し、位置調整されて重ね合わせられた状態で別のカード（１０、１２）と組み合わせて前記カード（１０、１２）の分離のための手段（４０；４０’、４０”；４２；４２’、４２”；４４）を規定する、ことを特徴とする一組の収集可能なカード。
【請求項２】
前記カードの分離のための手段は、一対の隣接して重ね合わせられるカード（１０、１２）の対応する側面の少なくとも１つの周囲の部分の不整合部（４０；４２）を有する、ことを特徴とする請求項１に記載の一組の収集可能なカード。
【請求項３】
前記不整合部は、１つのカード（１０；１２）の１つの側面に形成された凹部（４０）を含む、ことを特徴とする請求項２に記載の一組の収集可能なカード。
【請求項４】
前記カードの分離のための手段は、一対の隣接して重ね合わせられるカード（１０、１２）の対応する側面にオフセットされた凹部（４０’、４０”）を有する、ことを特徴とする請求項３に記載の一組の収集可能なカード。
【請求項５】
前記不整合部は、１つのカード（１０；１２）の１つの側面に形成された凸部（４２）を含む、ことを特徴とする請求項２に記載の一組の収集可能なカード。
【請求項６】
前記カードの分離のための手段は、一対の隣接して重ね合わせられるカード（１０、１２）の対応する側面にオフセットされた凸部（４２’、４２”）を有する、ことを特徴とする請求項５に記載の一組の収集可能なカード。
【請求項７】
前記不整合部は、隣接して重ね合わせられるカード（１０、１２）のそれぞれの対応する角部に異なる曲率半径を有する面取り（４４）を含む、ことを特徴とする請求項２に記載の一組の収集可能なカード。
【請求項８】
前記接着手段は、前記カードが何度も結合及び分離することができるように構成され、従来の洗剤を用いて洗浄することができる粘着性物質を含む、ことを特徴とする前記請求項の何れか１項に記載の一組の収集可能なカード。
【請求項９】
前記粘着性物質は、別のカード（１０；１２）に接着する前記カード（１２）の表面（２０）の選択された領域に配置される、ことを特徴とする請求項８に記載の一組の収集可能なカード。
【請求項１０】
前記選択された領域は、前記カード（１２）の画像領域（Ｉ１−Ｉ５）に対応する、ことを特徴とする請求項９に記載の一組の収集可能なカード。
【請求項１１】
前記粘着性物質は、前記画像（Ｉ１−Ｉ５）の不透明な背景層の印刷作業のためにも使用される共通マスクを通してシルクスクリーン印刷によって適用され得る、ことを特徴とする請求項８から請求項１０の何れか１項に記載の一組の収集可能なカード。
【請求項１２】
前記接着手段は、前記カードが何度も結合及び分離することができるように構成され、従来の洗剤を用いて洗浄することができる合成樹脂を含む、ことを特徴とする請求項１から請求項７の何れか１項に記載の一組の収集可能なカード。
【請求項１３】
前記樹脂は、別のカード（１０；１２）に接着する前記カード（１２）の表面（２０）に均一に配置される、ことを特徴とする請求項１２に記載の一組の収集可能なカード。
【請求項１４】
前記樹脂は、圧延によって別のカード（１０；１２）に接着する前記カード（１２）の表面（２０）に１つの層に適用され得る、ことを特徴とする請求項１３に記載の一組の収集可能なカード。
【請求項１５】
前記カード（１２）の最初の使用のときまで前記接着手段を保護するための保護フィルム（２２）を取り除いた後に、前記付属カード（１２）のための支持基板の機能を有する光沢紙のページ（３２）を備えた前記カード（１０、１２）の収集のための小冊子（３０）を有する、ことを特徴とする前記請求項の何れか１項に記載の一組の収集可能なカード。
【発明の詳細な説明】
【技術分野】
【０００１】
本発明は、請求項１の前提部に規定される種類の一組の収集可能な重ね合わせる（superimosable）カードに関する。
【背景技術】
【０００２】
現実若しくは空想の人々、動物又は背景の画像を有する印刷された収集可能なカードは、特に子供や若者の間に非常に普及している。所定の数の異なるカードは、収集物を形成し、任意にゲーム盤又は同様の付属品と組み合わせてロールプレイゲームが行われることを可能とする。
【０００３】
国際公開第０３／０５７３２８号は、重ね合わせるプレイカードを開示しており、その収集物は、背景画像を有する基本カードと、背景画像を補足する１つ若しくはそれ以上の画像を有し、１つ若しくはそれ以上の合成画像を形成するために所定の基本カードに重ね合わせることができる適合する形及び大きさの透明な付属カードとを有する。互いに重ね合わせられるカードは、例えば、接続する表面（connecting surface）の間の静電気的引力の作用を用いて、接続する表面の間の接着によって共に保持される。
【発明の概要】
【発明が解決しようとする課題】
【０００４】
しかしながら、これらのカードは、費用がかかるとともに、特に、前記カードに付属カードの両面に静電気的引力に対して敏感であるフィルムを設ける必要があるので、収集及び遊びを非実用的にし、付属カードの厚さ及び最終的に完成した画像を表す多数のカードの厚さを増大させる欠点及び使用困難な点を有する。
【０００５】
さらに、それらは分離することが難しく、未熟なプレーヤによる連続的な分離は、特に、カードの周囲の角部の領域における縁部において、最も使用されるカードの劣化を引き起こす。
【０００６】
本発明の目的は、改良された収集可能な重ね合わせるカードに、より良い接着特性と同時により容易な分離を付与することであり、その結果、カードの耐用年数が延ばされ、別の合成画像が構成されること、及び極めて容易に分解されることを可能にする。
【０００７】
本発明の更なる利点及び特徴は、非制限的な実施例を用いて単に付与される添付図面に関する以下の詳細な説明から明らかになるであろう。
【図面の簡単な説明】
【０００８】
【図１ａ】収集可能な重ね合わせるカードの概略図である。
【図１ｂ】収集可能な重ね合わせるカードの概略図である。
【図２】接着層を保護するためのフィルムを備えた付属の収集可能なカードの概略図である。
【図３】好適な収集アルバムに取り付けられた付属の収集可能なカードの概略図である。
【図４ａ】本発明に係る分離手段を備えたカードの概略図である。
【図４ｂ】本発明に係る分離手段を備えたカードの概略図である。
【図４ｃ】本発明に係る分離手段を備えたカードの概略図である。
【図４ｄ】本発明に係る分離手段を備えたカードの概略図である。
【図４ｅ】本発明に係る分離手段を備えたカードの概略図である。
【発明を実施するための形態】
【０００９】
本発明は、重ね合わせる画像を有する一組の収集可能な印刷されたカードであって、背景画像又は場面を有する複数の概して不透明な基本カード１０と、複数の少なくとも部分的に透明な付属カード１２とを有し、該付属カードは、背景画像を補足する画像を有し、合成画像を有する完成した多層カード１４を形成するために１つ若しくはそれ以上の所定の基本カード１０に重ね合わせることができる前記カードに関する。
【００１０】
基本カード１０は、種々の材料から種々の形で作られ得る。例えば、それは、商品名ラミンカード（Ｌａｍｉｎｃａｒｄ）（登録商標）によって知られているカードのように、透明で、ＰＶＣ又はＰＥＴから作られ得るカードであり得る。カードの寸法は、変更することができるが、付属カード１２の寸法に等しいことが好ましい。基本カードに印刷された画像は、例えば、１つ若しくはそれ以上の付属カードの重ね合わせの結果として、更なる構成要素を付加することによって高めることができる人、物、又は風景であり得る。
【００１１】
付属カード１２は、透明な材料から作られ、基本カードより薄い。付属カードに印刷された１つの画像又は複数の画像は、基本カードの画像を高めることを意図した付属品又は要素、例えば、人の衣服、武士の鎧、風景の要素、自動車の構成要素などを表す。
【００１２】
複数の付属カード１２は、合成画像を有する「完成した」カード１４を作るためにただ１つの基本カード１０に配置することができる。
【００１３】
図面に示される実施形態では、部屋の場面Ｂが基本カード１０に示されており、付属カード１２は、背景画像Ｂに重ね合わせることができる描写された画像要素Ｉ１−Ｉ５を有し、それらはそれぞれ、（それらが重ね合わせられる順番に）衣服を着けていない人（Ｉ１）、ジャンパ（Ｉ２）、靴（Ｉ３）、ズボン（Ｉ４）及びイヤリング（Ｉ５）を表す。従って、完成したカード１４によって描写される合成画像Ｓは、部屋に配置された完全に衣服を着た人を表す。
【００１４】
ＰＶＣ、ＰＥＴから作られる基本カード１０、すなわち一般的なカードは、３００から４００ミクロンの厚さを有し、一般に、第１の半透明の印刷と、４色印刷の下で重ね合わせる（in register）次の不透明な白色印刷と、（カバーを改良するための）更なる不透明な白色印刷ステップと、その次の４色印刷とを有する４色印刷におけるオフセット技術によって印刷される。カードの背面は、光沢のある紫外線フィルムを用いて無地の背景が印刷される。前記材料の厚さは、変更することができるが、基本カードは、付属カードより厚いことが好ましい。
【００１５】
透明なＰＶＣ又はＰＥＴから作られる付属カード１２は一般的に、２００から３００ミクロンの厚さを有し、一般に、第１の半透明の印刷と、４色印刷の下で重ね合わせる次の不透明な白色印刷とを有する４色印刷によってカラー印刷される。それは次に、粘着性物質又は樹脂によって粘着性を有する。
【００１６】
完成したカード１４は、１つの基本カード１０と、所定の最大数までの様々な数の付属カード１２とによって積層された形態で形成された多層カードである。それは、合成画像Ｓを表すのに適しているならば、分解して別の付属カード１２を組み合わせることによって再び組み立てることができる。各層は、基本カードに示される題材Ｂに加えることができ、例えば、プレーヤの好み又はゲームのルールに応じて、人に衣服を着ける、人を装飾する、あるいは要素を用いて風景を高めるように、それを完成するのに役立つ、１つ若しくはそれ以上の画像要素Ｉを表す。
【００１７】
異なる付属カード１２が互いに、及び底部にある基本カード１０に重ね合わせられる積層された形態のカードは、該カードが何度も分離及び共に結合することができるような方法で、接着剤又は合成樹脂のような接着手段によって、あるいは静電作用によってカード間の接続によって一時的に共に保持される。
【００１８】
特に、各付属カード１２は、最適の透明な接着フィルムのための別のカードに接着する前記カードの背面全体か、それとも、透明性特性の乏しいフィルムがカードの透明な表面に見えないように、印刷された領域（例えば、画像要素又はフレーム）に対応する所定の領域に、カードの背面２０に接着フィルムを適用することによって粘着性を有する。
【００１９】
第１の場合には、接着層は、可塑剤を用いてＰＶＣ又はＰＥＴのロール［圧延（rolling）］に接着剤又は樹脂の均一な層を展開することにより適用される。樹脂は、該樹脂が塗布され、それと共に単一物体となる基板材料に熱を用いて接着する結晶によって形成される延性のある材料であるので、有利に、摩耗する、あるいは接着剤のように接着する表面に移動する傾向がない。特別な技術は、樹脂をベースにした接着層を備えたカードの製造のために開発され、樹脂は、次に６０℃で塗布され、カレンダー加工され、印刷ステップの前に４８時間乾燥（重合）されるために、タンク内に溶融されて集められ、ＰＶＣ又はＰＥＴのロール上にスプレーされる。具体的には、ＰＥＴ製のカードは、樹脂が塗布される温度である７０℃より上であるＰＥＴのより高いガラス転移点のために、その温度で樹脂を塗布することが好ましい。ロールは次に、印刷され、付属のプレイカードを作るために切断される。
【００２０】
第２の場合には、接着層は、画像の背景層の印刷のためにも使用される共通マスクを用いて、予めオフセット印刷されたシート上に存在する白色（あるいはどんな場合においても不透明な）領域の下で重ね合わせて接着フィルムが展開されるシルクスクリーン印刷工程によって適用される。
【００２１】
両方の場合において、取り外し可能な、より薄い（例えば１２０ミクロン）透明なＰＶＣ製の保護及び解放フィルム２２は、少なくともカードの最初の使用のときまで包装作業を可能にするために、カードの背面に適用される粘着性物質からなる層を保護するように配置される。
【００２２】
好ましい粘着性物質は、「付着及び解放（stick and release）」タイプ、すなわち、避けされないが改善できるごみの蓄積のためを除いて、強度の明らかな損失がなく、カードを何度も結合及び分離することができる接着剤又は樹脂である。ちり及びごみを拾いあげたために接着作用が失われたときに、接着フィルムが展開された表面を容易にきれいにすることができるように、使用される接着剤及び樹脂は、例えば従来の洗剤（水と石けん）を用いて洗浄することによって再生することができる。粘着性物質はまた、カードを取り扱うプレーヤの指又は他の体の部分に、又はカードが適用される表面に跡を残さないようである。
【００２３】
保護フィルムが取り除かれた後に、カードは、支持基板の機能を有する光沢紙のページ３２を備えた好適な収集アルバム３０に取り付けることができる。
【００２４】
基本カードと付属カードは、位置調整されて重ね合わせられた状態で他のカードと組み合わせて、一対の隣接して重ね合わせられるカードの対応する側面の少なくとも１つの周囲の部分の不整合部（disalignment）を有するそれらの分離のための手段を規定する。
【００２５】
例えば、図４ａ−４ｅに関して、不整合部は、２つの重ね合わせられるカードのただ１つの一方の側面に形成された凹部４０、あるいは一対の隣接して重ね合わせられるカードの対応する側面に形成された一対のオフセットされた凹部４０’及び４０”であり得る。
【００２６】
代替的には、不整合部は、２つの重ね合わせられるカードのただ１つの一方の側面に形成された凸部４２、あるいは一対の隣接して重ね合わせられるカードの対応する側面における一対のオフセットされた凸部４２’及び４２”であり得る。
【００２７】
ある変形では、不整合部は、カードの角部における異なる曲率半径の面取り４４によって表され得る。
【００２８】
完成したカードの異なる層を形成することを意図したカードは、それらの分離を容易にするために異なる側面（又は角部）に前述した不整合部を有し得る。
【００２９】
当然に、本発明の原理が残存する同等物、実施形態の形式及び構造の詳細は、添付された特許請求の範囲によって規定された本発明の保護範囲から逸脱することなく、非制限的な実施例の目的で単に記載され説明されるものについて幅広く変更することができる。
【図１ａ】
2010540155.tif 000003
【図１ｂ】
2010540155.tif 000004
【図２】
2010540155.tif 000005
【図３】
2010540155.tif 000006
【図４ａ】
2010540155.tif 000007
【図４ｂ】
2010540155.tif 000008
【図４ｃ】
2010540155.tif 000009
【図４ｄ】
2010540155.tif 000010
【図４ｅ】
2010540155.tif 000011
【国際調査報告】
2010540155.tif 000012
2010540155.tif 000013
2010540155.tif 000014